【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
外周面に複数の図柄が描かれたリールを複数同軸にして横方向に並べた回転リール部と、前記各リールの外周面の一部分を遊技者に見せるための観察窓と、前記各リールごとに用意された停止スイッチとを備え、スタートスイッチの操作によって前記各リールを回転させ、前記停止スイッチの押下に従って対応するリールを停止させ、すべてのリールが停止した際における前記観察窓内の停止態様が有効なライン上に特定の図柄が揃う当選パターンのとき、遊技者に有利な条件で遊技を行うことのできる特別遊技状態に移行して遊技者に利益を付与するスロットマシンにおいて、
遊技状態切替手段と、自動当選手段とを備え、
前記遊技状態切替手段は、前記停止スイッチを所定のタイミングで押下することによって前記当選パターンが出現し得るように設定された当選可能状態と前記停止スイッチの押下されたタイミングにかかわらず前記当選パターンが出現しないように設定された当選不可状態とに遊技状態を切り替えるものであり、
前記自動当選手段は、前記当選可能状態で行われた遊技において全てのリールが停止した際の停止態様が１つのリールの停止位置のみが原因で前記当選パターンにならないとき、前記当選パターンにならない原因となったリールを再回転させた後、当該リールを前記当選パターンが成立するように停止させることを特徴とするスロットマシン。
【請求項２】
前記当選可能状態には、複数種類の当選可能状態を有するとともに、
前記当選パターンは、前記複数種類の当選可能状態に対応した当選パターンを有し、
前記自動当選手段は、前記複数種類の当選可能状態の中のいずれかが設定されているときに行われた遊技において、全てのリールが停止した際の停止態様が１つのリールの停止位置のみが原因で、設定されている当選可能状態に対応する当選パターンにならないとき、前記当選パターンにならない原因となったリールを再回転させた後、当該リールを設定されている当選可能状態に対応する当選パターンが成立するように停止させることを特徴とする請求項１記載のスロットマシン。
【請求項３】
前記自動当選手段は、遊技者が最後に停止させたリールの停止位置が原因で当選パターンにならないときだけ、前記当選パターンにならない原因となったリールの再回転と停止を行うことを特徴とする請求項１または２に記載のスロットマシン。
【請求項４】
前記当選パターンを構成し得る図柄の描画されている数がいずれか１つのリールだけ他のリールに比べて少ないことを特徴とする請求項１、２または３に記載のスロットマシン。
【請求項５】
前記当選可能状態では、前記当選パターンが出るように前記各リールの停止位置を対応する停止スイッチが押下されたタイミングから所定の制御範囲を限度に調整するとともに、前記制御範囲をいずれか１つのリールだけ他のリールよりも狭く設定することを特徴とする請求項１、２または３に記載のスロットマシン。
【手続補正２】
【補正対象書類名】明細書
【補正対象項目名】０００１
【補正方法】変更
【補正の内容】
【０００１】【発明の属する技術分野】  本発明は、外周面に複数の図柄が描かれたリールを複数同軸にして横方向に並べた回転リール部と、各リールの外周面の一部分を遊技者に見せるための観察窓と、各リールごとに用意された停止スイッチとを備え、スタートスイッチの操作によって各リールを回転させ、停止スイッチの押下に従って対応するリールを停止させ、すべてのリールが停止した際における観察窓内の停止態様が有効なライン上に特定の図柄が揃う当選パターンのとき、遊技者に有利な条件で遊技を行うことのできる特別遊技状態に移行して遊技者に利益を付与するスロットマシンに関する。
【手続補正３】
【補正対象書類名】明細書
【補正対象項目名】０００４
【補正方法】変更
【補正の内容】
【０００４】  スロットマシンは、適切なタイミングで停止スイッチを押下すれば、当選パターンが有効ライン上に出現し得る当選可能状態と、どのようなタイミングで停止スイッチを押下しても有効ライン上に当選パターンが出現しない当選不可状態の各遊技状態を有しており、乱数抽選などにより予め定めた確率に従って当選可能状態が現れるように設定されている。
【手続補正４】
【補正対象書類名】明細書
【補正対象項目名】０００６
【補正方法】変更
【補正の内容】
【０００６】【発明が解決しようとする課題】  しかしながら、従来のスロットマシンでは、遊技状態が当選可能状態に設定されていても適切に目押しを行なわなければ、ビッグボーナスやレギュラーボーナス等の特典を得ることができない。従って、初心者あるいは動体視力や反射神経が不十分なお年寄りなどにとっては特に当たり図柄の描画数の少ない１つのリールを目押しで適切な位置に停止させることが難しいので、折角、当選可能状態に設定されていても、ビッグボーナスやレギュラーボーナス等の利益を得ることができず、遊技を充分に楽しむことができないという問題があった。
【手続補正５】
【補正対象書類名】明細書
【補正対象項目名】０００７
【補正方法】変更
【補正の内容】
【０００７】  本発明は、このような従来の技術が有する問題点に着目してなされたもので、当選可能状態に設定されたとき、だれでも容易に当選パターンを揃えることができるとともに技量のある者は目押しを楽しむことのできるスロットマシンを提供することを目的としている。
【手続補正６】
【補正対象書類名】明細書
【補正対象項目名】０００８
【補正方法】変更
【補正の内容】
【０００８】【課題を解決するための手段】  かかる目的を達成するための本発明の要旨とするところは、次の各項の発明に存する。［１］外周面に複数の図柄が描かれたリール（３０ａ〜３０ｃ）を複数同軸にして横方向に並べた回転リール部と、前記各リール（３０ａ〜３０ｃ）の外周面の一部分を遊技者に見せるための観察窓（１５ａ〜１５ｃ）と、前記各リール（３０ａ〜３０ｃ）ごとに用意された停止スイッチ（１２ａ〜１２ｃ）とを備え、スタートスイッチ（１３）の操作によって前記各リール（３０ａ〜３０ｃ）を回転させ、前記停止スイッチ（１２ａ〜１２ｃ）の押下に従って対応するリール（３０ａ〜３０ｃ）を停止させ、すべてのリール（３０ａ〜３０ｃ）が停止した際における前記観察窓（１５ａ〜１５ｃ）内の停止態様が有効なライン上に特定の図柄が揃う当選パターンのとき、遊技者に有利な条件で遊技を行うことのできる特別遊技状態に移行して遊技者に利益を付与するスロットマシンにおいて、  遊技状態切替手段（１１０）と、自動当選手段（１２１）とを備え、前記遊技状態切替手段（１１０）は、前記停止スイッチ（１２ａ〜１２ｃ）を所定のタイミングで押下することによって前記当選パターンが出現し得るように設定された当選可能状態と前記停止スイッチ（１２ａ〜１２ｃ）の押下されたタイミングにかかわらず前記当選パターンが出現しないように設定された当選不可状態とに遊技状態を切り替えるものであり、  前記自動当選手段（１２１）は、前記当選可能状態で行われた遊技において全てのリール（３０ａ〜３０ｃ）が停止した際の停止態様が１つのリール（３０ｃ）の停止位置のみが原因で前記当選パターンにならないとき、前記当選パターンにならない原因となったリール（３０ｃ）を再回転させた後、当該リール（３０ｃ）を前記当選パターンが成立するように停止させることを特徴とするスロットマシン。
【手続補正７】
【補正対象書類名】明細書
【補正対象項目名】０００９
【補正方法】変更
【補正の内容】
【０００９】［２］前記当選可能状態には、複数種類の当選可能状態を有するとともに、   前記当選パターンは、前記複数種類の当選可能状態に対応した当選パターンを有し、  前記自動当選手段（１２１）は、前記複数種類の当選可能状態の中のいずれかが設定されているときに行われた遊技において、全てのリール（３０ａ〜３０ｃ）が停止した際の停止態様が１つのリール（３０ｃ）の停止位置のみが原因で設定されている当選可能状態に対応する当選パターンにならないとき、前記当選パターンにならない原因となったリール（３０ｃ）を再回転させた後、当該リール（３０ａ〜３０ｃ）を設定されている当選可能状態に対応する当選パターンが成立するように停止させることを特徴とする［１］に記載のスロットマシン。
【手続補正８】
【補正対象書類名】明細書
【補正対象項目名】００１６
【補正方法】変更
【補正の内容】
【００１６】  また、複数種類の当選可能状態に対応した複数種類の当選パターンを有するものでは、自動当選手段（１２１）は、これら複数種類の当選可能状態の中のいずれかが設定されているときに行われた遊技において、全てのリール（３０ａ〜３０ｃ）が停止した際の停止態様が１つのリール（３０ｃ）の停止位置のみが原因で設定されている当選可能状態に対応する当選パターンにならなかったとき、当選パターンにならない原因となったリール（３０ｃ）を再回転させた後、当該リール（３０ｃ）を設定されている当選可能状態に対応する当選パターンが成立するように停止させる。
【手続補正９】
【補正対象書類名】明細書
【補正対象項目名】００１７
【補正方法】変更
【補正の内容】
【００１７】  たとえば、ビッグボーナス（ＢＢ）とレギュラーボーナス（ＲＢ）の２種類の当選可能状態のうち、現在、ビッグボーナスの出得る当選可能状態に設定されているときは、再回転の後、ビッグボーナスの図柄が揃うようにリール（３０ｃ）を停止させる。より具体的には、赤のＢＡＲが３つ揃ってビッグボーナス、赤のＢＡＲが２つと青のＢＡＲが１つでレギュラーボーナスになるような場合、赤のＢＡＲが２つのリール（３０ａ、３０ｂ）に停止し、赤のＢＡＲでも青のＢＡＲでもない図柄が残り１つのリール（３０ｃ）に停止したときは、この異なる図柄で停止している１つのリールが再回転し、現在入っている当選可能状態に対応した図柄（ＢＢなら赤のＢＡＲ、ＲＢなら青のＢＡＲ）が停止表示されるように自動的に停止する。
【手続補正１０】
【補正対象書類名】明細書
【補正対象項目名】００２０
【補正方法】変更
【補正の内容】
【００２０】  当選可能状態に設定されているとき、当選パターンが出るように各リール（３０ａ〜３０ｃ）の停止位置を対応する停止スイッチ（１２ａ〜１２ｃ）が押下されたタイミングから所定の制御範囲を限度に調整するものでは、この制御範囲をいずれか１つのリール（３０ｃ）だけ他のリール（３０ａ、３０ｂ）よりも狭く設定することで当たりの図柄の描画数を減らすことと同じ効果を得ることができる。
【手続補正１１】
【補正対象書類名】明細書
【補正対象項目名】００３６
【補正方法】変更
【補正の内容】
【００３６】  なお、第１のリール３０ａと第２のリール３０ｂには、当選パターンを構成する赤の「７」の図柄が比較的多数描画されており、その配置間隔が制御範囲内に収まるようになっている。したがって、当選可能状態に設定されていれば、第１、第２のリール３０ａ、３０ｂについては、どのようなタイミングでストップボタン１２ａ、１２ｂを押下しても、必ず当選パターンを構成する赤の「７」の図柄が有効ライン上に停止するように制御される。
【手続補正１２】
【補正対象書類名】明細書
【補正対象項目名】００６７
【補正方法】変更
【補正の内容】
【００６７】【発明の効果】  本発明にかかるスロットマシンによれば、当選パターンの出現し得る当選可能状態に設定されているときに行われたスロット遊技で目押しがうまくいかず、１つのリールの停止位置だけが原因で当選パターンが出なかったとき、そのリールを再回転させて自動的に当選パターンとなるように停止させるので、技量の未熟な初心者等であっても容易にビッグボーナスやレギュラーボーナス等の利益を得ることができる。さらに、最初は、遊技者が停止スイッチを押下したタイミングに基づいてリールを停止させるので、技量のある者は、目押しのテクニックを楽しむことができる。